(57)【要約】【課題】携帯電話機やＩＣカードによりロッカーボックスを利用できる多機能な貸しロッカーシステムと、コインロッカー装置を併用し、管理コストや設置コストを低減する。【解決手段】貸しロッカーシステムＡにおいて、とコインロッカー装置Ｂを併設する。貸しロッカーシステムＡの集中制御装置１にコインロッカー装置Ｂのケーシング装置２００を接続する。集中制御装置１の内部制御モードにより携帯電話機ＴあるいはＩＣカードＣによりＩＤコードを授受し、ロッカーボックス２を利用可能にする。集中制御装置１に外部管理モードを設ける。管理者が外部管理モードにより、ケーシング装置２００のデータ収集を行うようにする。コインロッカー装置Ｂの電源を貸しロッカーシステムＡ側から供給してもよい。【選択図】図１
2008250876.tif 000002
【特許請求の範囲】
【請求項１】
複数のロッカーボックスと該ロッカーボックスの施解錠を制御する制御手段を備え、ＩＤコード設定手段からのＩＤコードを前記制御手段で読み取って、該ＩＤコードに基づいてロッカーボックスの使用を可能にした貸しロッカーシステムであって、
前記制御手段は外部ロッカー装置の管理データ線に接続可能であり、
該制御手段は、前記ロッカーボックスの管理や制御を行う内部制御モードと、前記外部ロッカー装置の管理データを前記管理データ線から読み取る外部管理モードと、を備えたことを特徴とする貸しロッカーシステム。
【請求項２】
前記制御手段を内蔵するケース内部に、前記外部ロッカー装置に電源を供給する電源装置を収容可能としたことを特徴とする請求項１に記載の貸しロッカーシステム。
【発明の詳細な説明】
【技術分野】
【０００１】
本発明は、例えば駅構内に設置され、複数の利用者にロッカーボックスを利用可能とした貸しロッカーシステムに関する。
【背景技術】
【０００２】
従来、駅構内等に配置される貸しロッカーは広く普及しており、例えば特許第３６５８０１９号広報（特許文献１）に開示されたものがある。この特許文献１のものは、電源装置（制御装置）に対して複数のケーシング装置（ロッカー装置）を双方向信号線で接続し、各ケーシング装置は電源装置からの指示により、電源装置に対してステイタスデータを出力し、ロッカーの空き状態、ロッカーの使用状態、投入されるコインのコインカウントのデータ等を、電源装置で把握できるようにしたものである。
【０００３】
また、ロッカーシステムとしてＩＣカードや携帯電話を用いて利用できるものが、例えば特開２００５−３１４９４４号公報（特許文献２）に開示されている。この特許文献２のものは、集中制御装置と携帯電話とで通信してＩＤコードを授受し、ＩＣコードに基づいて決済機関等により決済を行い、また、集中制御装置とＩＣカードとで通信して、ＩＣカードから料金を差し引き、ロッカーボックスを利用できるようにしたものである。
【特許文献１】特許第３６５８０１９号公報
【特許文献２】特開２００５−３１４９４４号公報
【発明の開示】
【発明が解決しようとする課題】
【０００４】
特許文献１のようなコインロッカー装置は特許文献２のような多機能なロッカーシステムではないが、多くのロッカーボックスを必要とするような場には、特許文献２のようなロッカーシステムを複数セット設けるよりも、コスト面で有利である。このため、特許文献２のようなロッカーシステムを設置している場所にも、特許文献１のようなコインロッカー装置を並べて設置することが要求されている。
【０００５】
しかしながら、前記のロッカーシステムでも後者のコインロッカー装置でも、少なくとも料金の管理等を行う必要があり、別々に管理しているのが現状である。このため、管理コストが高くなるという問題がある。
【０００６】
本発明は、多機能なロッカーシステムとコインロッカー装置とを併設しても、管理コストを低減できるような貸しロッカーシステムを提供することを課題とする。
【０００７】
請求項１の貸しロッカーシステムは、複数のロッカーボックスと該ロッカーボックスの施解錠を制御する制御手段を備え、ＩＤコード設定手段からのＩＤコードを前記制御手段で読み取って、該ＩＤコードに基づいてロッカーボックスの使用を可能にした貸しロッカーシステムであって、前記制御手段は外部ロッカー装置の管理データ線に接続可能であり、該制御手段は、前記ロッカーボックスの管理や制御を行う内部制御モードと、前記外部ロッカー装置の管理データを前記管理データ線から読み取る外部管理モードと、を備えたことを特徴とする。
【０００８】
請求項２の貸しロッカーシステムは、請求項１に記載の貸しロッカーシステムであって、前記制御手段を内蔵する操作部に、前記外部ロッカー装置に電源を供給する電源装置を収容可能としたことを特徴とする。
【発明の効果】
【０００９】
請求項１の貸しロッカーシステムによれば、コインロッカー装置（外部ロッカー装置）の管理データ線を制御手段に接続し、該制御手段の外部管理モードでコインロッカー装置の空き状態、使用状態、コインカウントデータ等を読み取ることで、コインロッカー装置の管理も制御手段で一括して行うことができるので、管理コストを低減することができる。
【００１０】
請求項２の貸しロッカーシステムによれば、請求項１の効果に加えて、制御手段を内蔵する操作部に収容した電源装置からコインロッカー装置に電源を供給できるので、設置効率も良くなる。
【発明を実施するための最良の形態】
【００１１】
次に、本発明の貸しロッカーシステムの実施形態を図面を参照して説明する。図１は本発明の実施形態の貸しロッカーシステムＡとその横に併設された外部ロッカー装置としてのコインロッカー装置Ｂの外観正面図である。貸しロッカーシステムＡは集中制御装置１とその両側にそれぞれ複数のロッカーボックス２を配置したものである。集中制御装置１の内部には、レシートや領収書を発行するためのプリンタ１１、タッチパネル付きＬＣＤ表示器１２、非接触ＩＣカードＣからの電波を受信するカードリーダ１３、携帯電話機Ｔからの赤外線を受信する赤外線モジュール１４等が配設されている。また、集中制御装置１のケース内部の下部には、電源装置を内蔵できる電源収容スペースＳが確保されている。
【００１２】
各ロッカーボックス２は、ロッカー扉２ａの内部に集中制御装置１からの制御信号に基づいてロッカー扉２ａを施解錠する錠装置２１、ロッカー扉２ａの開閉状態を検出する扉開閉スイッチ２２、錠装置２１側の框部に配設された施錠スイッチ２３、施錠スイッチ２３の上部に配設された施錠確認用ＬＥＤ２４、ロッカー扉２ａの錠装置２１の近傍に配設された状態表示用ＬＥＤ２５をそれぞれ備えている。
【００１３】
コインロッカー装置Ｂは、複数のロッカーボックス１００を配置したものである。各ロッカーボックス１００はケーシング装置２００を備えており、ケーシング装置２００は、ロッカー扉１００ａの開閉を規制する錠装置２００ａを備えている。また、ケーシング装置２００は各ロッカーボックス１００における空き状態、使用状態、コインカウントのデータを管理しており、管理データ線から各データを出力する。
【００１４】
図２は集中制御装置１の要部ブロック図である。集中制御装置１はマイクロコンピュータで構成された制御ユニット１０を備えており、制御ユニット１０にはプリンタ１１、ＬＣＤ表示器１２、カードリーダ１３、赤外線モジュール１４、インターフェース１５、各ロッカーボックス２の各錠装置２１がそれぞれ接続されている。また、錠装置２１には図示しない基板を介して、扉開閉スイッチ２２、施錠スイッチ２３、施錠確認用ＬＥＤ２４、状態表示用ＬＥＤ２５がそれぞれ接続されている。
【００１５】
制御ユニット１０は、プリンタ１１への印字データの出力、ＬＣＤ表示器１２への表示データの出力と操作状態の検出を行う。また、制御ユニット１０は、カードリーダ１３、赤外線モジュール１４からのデータの入力を行う。さらに、制御ユニット１０は、錠装置２１を介して、扉開閉スイッチ２２、施錠スイッチ２３の操作状態を検出するとともに、施錠確認用ＬＥＤ２４、状態表示用ＬＥＤ２５の駆動制御を行う。そして、制御ユニット１０は後述の制御プログラムに基づいて貸しロッカーシステムの制御を行う。
【００１６】
また、インターフェース１５にはコインロッカー装置Ｂの各ケーシング装置２００の管理データ線２００ｂが接続され、制御ユニット１０は後述の「外部管理モード」において、インターフェース１５を介してケーシング装置２００にコマンドを出力し、ケーシング装置２００から送信されるデータをインターフェース１５を介して受信する。
【００１７】
携帯電話機Ｔには、所定のダウンロード用ＷＥＢサーバから予め通信用のアプリケーションをダウンロードしておく。このアプリケーションのダウンロード時に、この携帯電話機Ｔに対して固有のユーザーＩＤが設定される。そして、携帯電話機Ｔはこのアプリケーションにより集中制御装置１との間で赤外線通信を行う。また、非接触ＩＣカードＣは制御ユニット１０の前記カードリーダ１３からの特定の電波を受信して起動し、予め記憶されているＩＤコードを送信する。この非接触ＩＣカードＣは、そのＩＤコードにより機能的に２種類のものに区別され、利用者が使用する例えばプリペード式の利用者ＩＣカードと、オペレータ（管理者）が使用するオペレータＩＣカードとがある。
【００１８】
この実施形態では、利用者が利用可能な利用モードにおいて、ＬＣＤ表示器１２の操作表示部を操作して暗証番号モード、携帯電話機モード、ＩＣカードモードから所望のモードを選択することができる。
【００１９】
暗証番号モードでは、利用ボックスに荷物を収納して扉を閉めて施錠スイッチ２３を押すと扉は仮施錠される。利用料金を投入するとボックス番号と解錠ＩＤである暗証番号とを記録したレシートが発行され本施錠される。そして、荷物の取り出し時には、ボックス番号と暗証番号を入力することにより解錠される。
【００２０】
携帯電話機モードでは、利用ボックスに荷物を収納して扉を閉めて仮施錠し、利用料金を投入して携帯電話機Ｔでロッカー利用アプリを使ってユーザーＩＤを赤外線により送信すると施錠される。また、荷物の取り出し時には、携帯電話機ＴでユーザーＩＤを赤外線により送信することによりロッカーボックスが解錠される。
【００２１】
ＩＣカードモードでは、同様に荷物の収納、仮施錠後、ＩＣカードをカードリーダ１３のアンテナ部にかざすことにより施錠され、取り出し時には、同様にＩＣカードをアンテナ部にかざすことによりロッカーボックスが解錠される。
【００２２】
ロッカー装置の集中制御装置１では、管理モードにおいて各種の設定や、操作処理、データの収集等を行うことができる。この処理は、売上げ集計、売上げリセット、強制解錠、料金クリア等の処理を行うことができ、売上げ集計等はプリントアウトできる。
【００２３】
管理モードに入る場は、料金の回収や、レシート用ロール紙の交換などを行うときと同様にオペレータが管理用錠を操作して集中制御装置１の前面パネルを開放し、内部の所定の管理モードスイッチを操作し、オペレータのＩＣカードをカードリーダ１３のアンテナ部にかざす。そして、そのオペレータＩＤコードが正規のもの（登録されているもの）として認証されると、この管理モードを選択することができる。
【００２４】
図３は集中制御装置１のコンピュータ１０における制御プログラムのメイン処理の要部フローチャート、図４は外部管理処理の要部フローチャートであり、同フローチャートを参照しながら動作を説明する。なお、以下の処理において、モードの選択では、ＬＣＤ表示器１２の操作表示部の表示の中から画面スイッチを選択操作する。
【００２５】
メイン処理では、ステップＳ１で前面パネル内の管理モードスイッチがＯＮされたか判定し、ＯＮされれば、ステップＳ２でＩＣカードのオペレータＩＤコードが検出されるとともにそのオペレータＩＤコードが正規のものとして確認できたかを判定し、正規のものと確認できなければ、ステップＳ６で、管理モードスイッチのＯＦＦと前面パネルが閉じられたことを確認し、ステップＳ７に進む。ステップＳ７では、ＬＣＤ表示器１２の操作表示部に通常の待機画面を表示し、ステップＳ８で通常のロッカー処理を行ってステップＳ１に戻る。なお、通常のロッカー処理は、前記暗証番号モード、携帯電話機モード、ＩＣカードモードによるロッカー利用のための処理を行うものであり、この処理が「内部制御モード」に相当する。
【００２６】
ステップＳ２でオペレータＩＤコードが正規のものと確認できれば、ステップＳ３で「外部管理モード」が選択されたかを判定する。「外部管理モード」が選択されなければ、ステップＳ４で、当該ロッカーシステムにおける各種の管理処理等のその他の処理を行ってステップＳ７に進む。このステップＳ７の処理も「内部制御モード」に相当する。ステップＳ３で「外部管理モード」が選択されればステップＳ５で図４の外部管理処理を実行してステップＳ７に進む。
【００２７】
図４の外部管理処理では、ステップＳ１１で、ＬＣＤ表示器１２の操作表示部に外部管理モードの表示画面を表示し、ステップＳ１２で表示仮面での選択内容を判断し、初期化または管理に進む。初期化が選択されるとステップＳ１３で初期化処理を行って元のルーチンに復帰する。この初期化処理では、新たなコインロッカー装置を増設した場合にこのコインロッカー装置の各ケーシング装置２００の認識やこのケーシング装置２００との間で通信を行うための各種設定処理を行う。管理が選択されるとステップＳ１４で管理処理を行って元のルーチンに復帰する。この管理処理では、増設されているコインロッカー装置の各ケーシング装置２００と通信を行い、空き状態、使用状態、コインカウントデータの収集を行い、ＬＣＤ表示器１２に表示したり、プリントアウトする。
【００２８】
集中制御装置１のケース内部の電源収容スペースＳには、コインロッカー装置Ｂの電源装置を内蔵しておくことができ、この場合、その電源装置に対してロッカーシステムＡの電源装置から商用電源を供給する。これにより、ロッカーシステムＡから１本の電源ケーブルを引き出すだけで、コインロッカー装置Ｂの電源も確保できる。従来のコインロッカー装置では、その本体はロッカーボックス及びケーシング装置が占めるスペース分だけであり、電源装置は外部に配置するの一般的であるが、上記電源収容スペースＳにより設置効率も良くなる。なお、集中制御装置１のケース内部には制御ユニット１０等の比較敵小型の部品が配置されるだけであり、上記の電源収容スペースＳは容易に確保できる。
【図面の簡単な説明】
【００２９】
【図１】本発明の実施形態の貸しロッカーシステムとコインロッカー装置の外観正面図である。
【図２】実施形態における集中制御装置の要部ブロック図である。
【図３】実施形態におけるメイン処理の要部フローチャートである。
【図４】実施形態における外部管理処理の要部フローチャートである。
【符号の説明】
【００３０】
１      集中制御装置
２      ロッカーボックス
１０    制御ユニット
１５    インターフェース
２００  ケーシング装置
Ａ      貸しロッカーシステム
Ｂ      コインロッカー装置
Ｃ      非接触ＩＣカード
Ｓ      電源収容スペース
Ｔ      携帯電話機
【図１】
2008250876.tif 000003
【図２】
2008250876.tif 000004
【図３】
2008250876.tif 000005
【図４】
2008250876.tif 000006